(57)【特許請求の範囲】
【請求項１】
(Ｎ＋１)個のポートＰ0〜ＰNを有し、ポートＰ0より入力した光を分波して、この分波した各波長λnの光をポートＰnより出力するとともに、各ポートＰnより入力した波長λnの光を合波して、この合波した光をポートＰ0より出力する光合分波器であって（ただし、Ｎは２以上の整数、ｎは１以上Ｎ以下の各整数、以下同様。）、
ポートＰ0に入力した光をコリメートして、そのコリメートした光を光路Ｒ1に出力するレンズＬ0と、
光路Ｒnを経て到達した光をポートＰnに集光するレンズＬnと、
光路Ｒn1上に設けられ、光路Ｒn1を経てレンズＬn1へ向かう光を入力して、波長λn1の光を透過させてレンズＬn1へ向けて出力するとともに、波長λn1+1〜λNの光を反射させて光路Ｒn1+1へ出力する誘電体多層膜フィルタＦn1と（ただし、ｎ１は１以上(Ｎ−１)以下の各整数、以下同様。）、
各誘電体多層膜フィルタＦn1の位置および方位を調整する調整手段と、
を備え、
前記調整手段は、各々開口を有する第１部材，第２部材および第３部材を含み、前記第１部材、前記第２部材および前記第３部材それぞれの開口中にレンズＬnの光軸を有し、前記第１部材の開口にレンズＬnが嵌め込まれ、前記第３部材の開口に誘電体多層膜フィルタＦnが嵌め込まれ、前記第２部材が前記第１部材に対して相対的にレンズＬnの光軸に垂直な方向に移動が可能であり、前記第３部材と前記第２部材との接触面が球面の一部をなしており、その接触面で前記第３部材と前記第２部材とが互いに摺動が可能である、
ことを特徴とする光合分波器。
【請求項２】
ポートＰ0とレンズＬ0との間の光路の光軸と、ポートＰnとレンズＬnとの間の各光路の光軸とが、互いに平行であることを特徴とする請求項１記載の光合分波器。
【請求項３】
各光路Ｒnを折り返すミラーＭnを更に備えることを特徴とする請求項１記載の光合分波器。
【請求項４】
各ミラーＭnが集光機能を有していることを特徴とする請求項３記載の光合分波器。
【請求項５】
多波長の信号光を波長多重して伝送する光通信システムであって、請求項１記載の光合分波器を備え、この光合分波器により前記多波長の信号光を合波または分波することを特徴とする光通信システム。
【発明の詳細な説明】
【０００１】
【発明の属する技術分野】
本発明は、多波長の光を合波または分波する光合分波器に関するものである。
【０００２】
【従来の技術】
波長分割多重（ＷＤＭ: Wavelength Division Multiplexing）光通信システムは、多波長の信号光を波長多重して伝送するものであって、大容量の情報を高速に送受信することができる。光合分波器は、このようなＷＤＭ光通信システムにおいて用いられ、入力した多波長の信号光を合波して１つのポートに出力することができ、或いは、１つのポートより入力した多波長の信号光を分波して各波長の信号光を互いに異なるポートに出力することができる。
【０００３】
従来の光合分波器として図７に示される構成のものが知られている。この図に示される光合分波器１００は、３つのＷＤＭフィルタモジュール１１０，１２０および１３０を備えていて、４波長λ1〜λ4の光を合波または分波するものである。
【０００４】
光ファイバ１１１より入力した４波長λ1〜λ4の光は、ＷＤＭフィルタモジュール１１０により波長λ1の光と他の３波長の光とに分波されて、波長λ1の光が光ファイバ１１２に出力されるとともに、他の３波長λ2〜λ4の光が光ファイバ１１３に出力される。光ファイバ１１３と融着接続された光ファイバ１２１より入力した３波長λ2〜λ4の光は、ＷＤＭフィルタモジュール１２０により波長λ2の光と他の２波長の光とに分波されて、波長λ2の光が光ファイバ１２２に出力されるとともに、他の２波長λ3〜λ4の光が光ファイバ１２３に出力される。光ファイバ１２３と融着接続された光ファイバ１３１より入力した２波長λ3〜λ4の光は、ＷＤＭフィルタモジュール１３０により波長λ3の光と他の波長λ4の光とに分波されて、波長λ3の光が光ファイバ１３２に出力されるとともに、他の波長λ4の光が光ファイバ１３３に出力される。
【０００５】
このようにして、この光合分波器１００は、光ファイバ１１１より入力した４波長λ1〜λ4の光を分波して、波長λ1の光を光ファイバ１１２に出力し、波長λ2の光を光ファイバ１２２に出力し、波長λ3の光を光ファイバ１３２に出力し、波長λ4の光を光ファイバ１３３に出力することができる。逆に、この光合分波器１００は、光ファイバ１１２より入力した波長λ1の光、光ファイバ１２２より入力した波長λ2の光、光ファイバ１３２より入力した波長λ3の光、および、光ファイバ１３３より入力した波長λ4の光を合波して、その合波した４波長λ1〜λ4の光を光ファイバ１１１より出力することができる。
【０００６】
また、従来の光合分波器として図８に示される構成のものが知られている。この図に示される光合分波器２００は、透明ガラス平板２１０、誘電体多層膜フィルタ２１１〜２１４、レンズ２２０〜２２４を備えていて、４波長λ1〜λ4の光を合波または分波するものである。透明ガラス平板２１０の一方の面に誘電体多層膜フィルタ２１１および２１３が貼り付けられていて、これに平行な他方の面に誘電体多層膜フィルタ２１２および２１４が貼り付けられている。
【０００７】
光ファイバ２３０の端面より出射された４波長λ1〜λ4の光は、レンズ２２０によりコリメートされて、透明ガラス平板２１０に入射し、誘電体多層膜フィルタ２１１に到達する。誘電体多層膜フィルタ２１１に到達した４波長λ1〜λ4の光のうち、波長λ1の光は、誘電体多層膜フィルタ２１１を透過し、レンズ２２１により集光され、光ファイバ２３１の端面に入射するとともに、他の３波長の光は、誘電体多層膜フィルタ２１１で反射され、誘電体多層膜フィルタ２１２に到達する。
【０００８】
誘電体多層膜フィルタ２１２に到達した３波長λ2〜λ4の光のうち、波長λ2の光は、誘電体多層膜フィルタ２１２を透過し、レンズ２２２により集光され、光ファイバ２３２の端面に入射するとともに、他の２波長の光は、誘電体多層膜フィルタ２１２で反射され、誘電体多層膜フィルタ２１３に到達する。誘電体多層膜フィルタ２１３に到達した２波長λ3〜λ4の光のうち、波長λ3の光は、誘電体多層膜フィルタ２１３を透過し、レンズ２２３により集光され、光ファイバ２３３の端面に入射するとともに、他の波長λ4の光は、誘電体多層膜フィルタ２１３で反射され、誘電体多層膜フィルタ２１４に到達する。誘電体多層膜フィルタ２１４に到達した波長λ4の光は、誘電体多層膜フィルタ２１４を透過し、レンズ２２４により集光され、光ファイバ２３４の端面に入射する。
【０００９】
このようにして、この光合分波器２００は、光ファイバ２３０より入力した４波長λ1〜λ4の光を分波して、波長λ1の光を光ファイバ２３１に出力し、波長λ2の光を光ファイバ２３２に出力し、波長λ3の光を光ファイバ２３３に出力し、波長λ4の光を光ファイバ２３４に出力することができる。逆に、この光合分波器２００は、光ファイバ２３１より入力した波長λ1の光、光ファイバ２３２より入力した波長λ2の光、光ファイバ２３３より入力した波長λ3の光、および、光ファイバ２３４より入力した波長λ4の光を合波して、その合波した４波長λ1〜λ4の光を光ファイバ２３０より出力することができる。
【００１０】
【発明が解決しようとする課題】
しかしながら、上記の従来の光合分波器は以下のような問題点を有している。すなわち、図７に示された従来の光合分波器１００は、光ファイバ同士を融着接続したものであることから、各光ファイバの余長処理が必要となり、また、融着接続部を補強するための補強部材を設けることが必要となって、それ故に全体を小型化するのは困難である。また、この光合分波器１００は、波長によって光路上の融着接続部の個数が異なるから、波長によって挿入損失が異なる。
【００１１】
一方、図８に示された従来の光合分波器２００は小型化が可能である。しかし、誘電体多層膜フィルタ２１１〜２１４の透過特性・反射特性の製造バラツキが無視し得ないことから、誘電体多層膜フィルタ２１１〜２１４の特性を所望のものとすることが困難であり、それ故に、全体の合分波特性を所望のものとすることが更に困難であるので、製造歩留まりが低い。また、誘電体多層膜フィルタ２１１〜２１４それぞれは、製造時の熱歪み等により、所望のサイズに切断されると撓んでしまうので、透明ガラス平板２１０に貼り付けることが困難であり、この点でも製造歩留まりが低い。
【００１２】
本発明は、上記問題点を解消する為になされたものであり、小型化が可能で、挿入損失の波長依存性が小さく、製造歩留まりが高い光合分波器を提供することを目的とする。
【００１３】
【課題を解決するための手段】
本発明に係る光合分波器は、(Ｎ＋１)個のポートＰ0〜ＰNを有し、ポートＰ0より入力した光を分波して、この分波した各波長λnの光をポートＰnより出力するとともに、各ポートＰnより入力した波長λnの光を合波して、この合波した光をポートＰ0より出力する光合分波器であって、(1) ポートＰ0に入力した光をコリメートして、そのコリメートした光を光路Ｒ1に出力するレンズＬ0と、(2) 光路Ｒnを経て到達した光をポートＰnに集光するレンズＬnと、(3) 光路Ｒn1上に設けられ、光路Ｒn1を経てレンズＬn1へ向かう光を入力して、波長λn1の光を透過させてレンズＬn1へ向けて出力するとともに、波長λn1+1〜λNの光を反射させて光路Ｒn1+1へ出力する誘電体多層膜フィルタＦn1と、(4) 各誘電体多層膜フィルタＦn1の位置および方位を調整する調整手段と、を備えることを特徴とする。さらに、この調整手段は、各々開口を有する第１部材，第２部材および第３部材を含み、第１部材、第２部材および第３部材それぞれの開口中にレンズＬnの光軸を有し、第１部材の開口にレンズＬnが嵌め込まれ、第３部材の開口に誘電体多層膜フィルタＦnが嵌め込まれ、第２部材が第１部材に対して相対的にレンズＬnの光軸に垂直な方向に移動が可能であり、第３部材と第２部材との接触面が球面の一部をなしており、その接触面で第３部材と第２部材とが互いに摺動が可能であることを特徴とする。ただし、Ｎは２以上の整数であり、ｎは１以上Ｎ以下の各整数であり、ｎ１は１以上(Ｎ−１)以下の各整数である。また、光路ＲN上に誘電体多層膜フィルタＦNを備えて、この誘電体多層膜フィルタＦNにより、光路ＲNを経てレンズＬNへ向かう光を入力して、波長λNの光を透過させてレンズＬNへ向けて出力するとともに、他の波長の光を反射させて光路ＲN+1へ出力してもよい。
【００１４】
本発明に係る光合分波器は光分波器として以下のように作用する。ポートＰ0よりＮ波長λ1〜λNの光が入射すると、各波長λnの光は、レンズＬ0によりコリメートされて光路Ｒ1に出力され、誘電体多層膜フィルタＦ1〜Ｆn-1により順次に反射されて光路Ｒ2〜Ｒnを経て、誘電体多層膜フィルタＦnを透過し、レンズＬnにより集光されてポートＰnより出射される。ただし、波長λ1の光は、レンズＬ0によりコリメートされて光路Ｒ1に出力され、誘電体多層膜フィルタＦ1を透過し、レンズＬ1により集光されてポートＰ1より出射される。
【００１５】
また、本発明に係る光合分波器は光合波器として以下のように作用する。各ポートＰnより波長λnの光が入射すると、その波長λnの光は、レンズＬnによりコリメートされ、誘電体多層膜フィルタＦnを透過して光路Ｒnに出力され、誘電体多層膜フィルタＦn-1〜Ｆ1により順次に反射されて光路Ｒn-1〜Ｒ1を経て、レンズＬ0により集光されてポートＰ0より出射される。ただし、波長λ1の光は、レンズＬ1によりコリメートされ、誘電体多層膜フィルタＦ1を透過して光路Ｒ1に出力され、レンズＬ0により集光されてポートＰ0より出射される。
【００１６】
本発明に係る光合分波器は、各誘電体多層膜フィルタＦnの位置および方位を調整する調整手段を備えていることにより、各誘電体多層膜フィルタＦnの特性の製造バラツキがあっても、各誘電体多層膜フィルタＦnの位置を調整して、各誘電体多層膜フィルタＦnの所望の特性の部分を光路Ｒnが通過するようにすることができる。
【００１７】
また、この光合分波器は、各誘電体多層膜フィルタＦnが撓んでいても、各誘電体多層膜フィルタＦnの方位を調整して、各誘電体多層膜フィルタＦnに対して所望の角度で光路Ｒnが通過するようにすることができる。
さらに、この調整手段は、各々開口を有する第１部材，第２部材および第３部材を含み、第１部材、第２部材および第３部材それぞれの開口中にレンズＬnの光軸を有し、第１部材の開口にレンズＬnが嵌め込まれ、第３部材の開口に誘電体多層膜フィルタＦnが嵌め込まれ、第２部材が第１部材に対して相対的にレンズＬnの光軸に垂直な方向に移動が可能であり、第３部材と第２部材との接触面が球面の一部をなしており、その接触面で第３部材と第２部材とが互いに摺動が可能であることを特徴とする。これにより、第１部材に対して相対的に第２部材の位置が調整されることで誘電体多層膜フィルタＦnの位置が調整され、また、第２部材に対して相対的に第３部材の方位が調整されることで誘電体多層膜フィルタＦnの方位が調整される。
【００１８】
また、本発明に係る光合分波器は、ポートＰ0とレンズＬ0との間の光路の光軸と、ポートＰnとレンズＬnとの間の各光路の光軸とが、互いに平行であるのが好適である。この場合には、ポートＰ0および各ポートＰnそれぞれに接続される光ファイバが互いに平行になるので、光合分波器の取り扱いが容易である。
【００１９】
また、本発明に係る光合分波器は、各光路Ｒnを折り返すミラーＭnを更に備えるのが好適である。この場合には、ポートＰ0および各ポートＰnそれぞれに接続される光ファイバの端面が全て同一方位を向き、これら光ファイバが全て同一の側に存在することから、光通信システムの光送信器、光中継器または光受信器において各種光学部品を収納する架への挿入が容易となる。また、各ミラーＭnが集光機能を有しているのが好適であり、この場合には、挿入損失の波長依存性を小さくすることができる。
【００２０】
本発明に係る光通信システムは、多波長の信号光を波長多重して伝送する光通信システムであって、上記の本発明に係る光合分波器を備え、この光合分波器により多波長の信号光を合波または分波することを特徴とする。この光通信システムでは、所望の特性を歩留まりよく実現することができる。
【００２１】
【発明の実施の形態】
以下、添付図面を参照して本発明の実施の形態を詳細に説明する。なお、図面の説明において同一の要素には同一の符号を付し、重複する説明を省略する。
【００２２】
（第１実施形態）
先ず、本発明に係る光合分波器の第１実施形態について説明する。図１は、第１実施形態に係る光合分波器１の構成図である。この図に示される光合分波器１は、５個のポートＰ0〜Ｐ4を有し、ポートＰ0より入力した光を分波して、この分波した各波長λnの光をポートＰnより出力するとともに、各ポートＰnより入力した波長λnの光を合波して、この合波した光をポートＰ0より出力するものである（ただし、ｎは１以上４以下の各整数、以下同様。）。
【００２３】
この光合分波器１は、５個のレンズＬ0〜Ｌ4および４個の誘電体多層膜フィルタＦ1〜Ｆ4を備えている。ポートＰ0の位置に光ファイバ１０0の端面があり、また、ポートＰnの位置に光ファイバ１０nの端面がある。光ファイバ１０0，１０2および１０4それぞれの端面と、光ファイバ１０1および１０3それぞれの端面とは、互いに対向している。
【００２４】
光ファイバ１０0の端面の前方に配置されたレンズＬ0、および、光ファイバ１０nの端面の前方に配置されたレンズＬnそれぞれは、光軸（図中において一点鎖線で示す）が互いに平行である。また、ポートＰ0とレンズＬ0との間の光路の光軸、および、ポートＰnとレンズＬnとの間の光路の光軸それぞれは、互いに平行である。すなわち、光ファイバ１０0〜１０4それぞれは、各々の端面の近傍では各光軸が互いに平行である。
【００２５】
レンズＬ0は、光ファイバ１０0の端面（ポートＰ0）より出射された光をコリメートして、そのコリメートした光を光路Ｒ1に出力することができる。また、レンズＬnは、光ファイバ１０nの端面（ポートＰn）より出射された光をコリメートして、そのコリメートした光を光路Ｒnに出力することができる。なお、光路Ｒ1は、レンズＬ0とレンズＬ1との間の光の経路である。光路Ｒ2は、誘電体多層膜フィルタＦ1とレンズＬ2との間の光の経路である。光路Ｒ3は、誘電体多層膜フィルタＦ2とレンズＬ3との間の光の経路である。また、光路Ｒ4は、誘電体多層膜フィルタＦ3とレンズＬ4との間の光の経路である。
【００２６】
各誘電体多層膜フィルタＦnは、レンズＬnの前方であって光路Ｒn上に配置されており、４波長λ1〜λ4の光のうち波長λnの光を選択的に透過させるものである。各誘電体多層膜フィルタＦnは、レンズＬn-1の側より光路Ｒnを経て光が到達すると、そのうちの波長λnの光を透過させてレンズＬnへ向けて出力するとともに、波長λn+1〜λNの光を反射させて光路Ｒn+1へ出力する。なお、ポートＰ0より４波長λ1〜λ4の光のみが入力する場合には、誘電体多層膜フィルタＦ4は不要である。
【００２７】
この光合分波器１は、光分波器として以下のように動作する。光ファイバ１０0の端面より出射された４波長λ1〜λ4の光は、レンズＬ0によりコリメートされて、光路Ｒ1に出力され、誘電体多層膜フィルタＦ1に到達する。この誘電体多層膜フィルタＦ1に到達した４波長の光のうち、波長λ1の光は、誘電体多層膜フィルタＦ1を透過し、レンズＬ1により集光されて、光ファイバ１０1の端面に入射するとともに、他の３波長の光は、誘電体多層膜フィルタＦ1で反射され、光路Ｒ2に出力され、誘電体多層膜フィルタＦ2に到達する。この誘電体多層膜フィルタＦ2に到達した３波長の光のうち、波長λ2の光は、誘電体多層膜フィルタＦ2を透過し、レンズＬ2により集光されて、光ファイバ１０2の端面に入射するとともに、他の２波長の光は、誘電体多層膜フィルタＦ2で反射され、光路Ｒ3に出力され、誘電体多層膜フィルタＦ3に到達する。この誘電体多層膜フィルタＦ3に到達した２波長の光のうち、波長λ3の光は、誘電体多層膜フィルタＦ3を透過し、レンズＬ3により集光されて、光ファイバ１０3の端面に入射するとともに、他の波長λ4の光は、誘電体多層膜フィルタＦ3で反射され、光路Ｒ4に出力され、誘電体多層膜フィルタＦ4に到達する。この誘電体多層膜フィルタＦ4に到達した波長λ4の光は、誘電体多層膜フィルタＦ4を透過し、レンズＬ4により集光されて、光ファイバ１０4の端面に入射する。すなわち、光ファイバ１０0の端面より４波長λ1〜λ4の光が出射されると、これらの波長の光は分波されて、各波長λnの光は光ファイバ１０nの端面に入射する。
【００２８】
また、この光合分波器１は、光合波器として以下のように動作する。光ファイバ１０1の端面より出射された波長λ1の光は、レンズＬ1によりコリメートされて、光路Ｒ1に出力され、誘電体多層膜フィルタＦ1を透過し、レンズＬ0により集光されて、光ファイバ１０0の端面に入射する。光ファイバ１０2の端面より出射された波長λ2の光は、レンズＬ2によりコリメートされて、光路Ｒ2に出力され、誘電体多層膜フィルタＦ2を透過し、誘電体多層膜フィルタＦ1で反射され、レンズＬ0により集光されて、光ファイバ１０0の端面に入射する。光ファイバ１０3の端面より出射された波長λ3の光は、レンズＬ3によりコリメートされて、光路Ｒ3に出力され、誘電体多層膜フィルタＦ3を透過し、誘電体多層膜フィルタＦ2およびＦ1で順次に反射され、レンズＬ0により集光されて、光ファイバ１０0の端面に入射する。また、光ファイバ１０4の端面より出射された波長λ4の光は、レンズＬ4によりコリメートされて、光路Ｒ4に出力され、誘電体多層膜フィルタＦ4を透過し、誘電体多層膜フィルタＦ3〜Ｆ1で順次に反射され、レンズＬ0により集光されて、光ファイバ１０0の端面に入射する。すなわち、各光ファイバ１０nの端面より出射された波長λnの光は合波されて光ファイバ１０の端面に入射する。
【００２９】
次に、各誘電体多層膜フィルタＦnの位置および方位を調整する手段について説明する。図２は、各誘電体多層膜フィルタＦnの位置および方位を調整する手段の斜視図である。また、図３は、各誘電体多層膜フィルタＦnの位置および方位を調整する手段の断面図である。これらの図には、誘電体多層膜フィルタＦn、レンズＬnおよび光ファイバ１０nの他に、誘電体多層膜フィルタＦnの位置および方位を調整する手段を構成する部品として、第１部材１１n、第２部材１２nおよび第３部材１３nが示されている。
【００３０】
第１部材１１n、第２部材１２nおよび第３部材１３nそれぞれは、開口を有しており、各開口中にレンズＬnの光軸がある。また、第１部材１１nの開口にはレンズＬnが嵌め込まれており、第３部材１３nの開口には誘電体多層膜フィルタＦnが嵌め込まれている。第２部材１２nは、第１部材１１nに対して相対的に、レンズＬnの光軸に垂直な方向に移動が可能となっている。また、第３部材１３nと第２部材１２nとは、互いの接触面が球面の一部をなしており、その接触面で互いに摺動が可能となっている。すなわち、第１部材１１nに対して相対的に第２部材１２nの位置が調整されることで、誘電体多層膜フィルタＦnの位置が調整される。また、第２部材１２nに対して相対的に第３部材１３nの方位が調整されることで、誘電体多層膜フィルタＦnの方位が調整される。
【００３１】
以上のように構成される第１実施形態に係る光合分波器１は、図７に示された従来の光合分波器１００のように光ファイバ同士を融着接続する必要がないから、小型化が可能であり、挿入損失の波長依存性が小さい。また、この光合分波器１は、各誘電体多層膜フィルタＦnの特性の製造バラツキがあっても、各誘電体多層膜フィルタＦnの位置を調整することで、各誘電体多層膜フィルタＦnの所望の特性の部分を光路Ｒnが通過するようにすることができるので、全体の製造歩留まりが向上する。さらに、この光合分波器１は、各誘電体多層膜フィルタＦnが撓んでいても、各誘電体多層膜フィルタＦnの方位を調整することで、各誘電体多層膜フィルタＦnに対して所望の角度で光路Ｒnが通過するようにすることができるので、この点でも全体の製造歩留まりが向上する。
【００３２】
（第２実施形態）
次に、本発明に係る光合分波器の第２実施形態について説明する。図４は、第２実施形態に係る光合分波器２の構成図である。この図に示される第２実施形態に係る光合分波器２は、第１実施形態に係る光合分波器１と比較すると、各光路Ｒnを折り返すミラーＭnを更に備える点で相違する。なお、ミラーＭ1〜Ｍ4は一体物であってもよい。
【００３３】
このように構成される第２実施形態に係る光合分波器２は、第１実施形態に係る光合分波器１の場合と略同様に動作し同様の効果を奏することができる。加えて、この光合分波器２は、ミラーＭ1〜Ｍ4が設けられたことにより、光ファイバ１０0〜１０4それぞれの端面が全て同一方位を向き、光ファイバ１０0〜１０4が全て同一の側に存在することから、光通信システムの光送信器、光中継器または光受信器において各種光学部品を収納する架への挿入が容易となる。
【００３４】
（第３実施形態）
次に、本発明に係る光合分波器の第３実施形態について説明する。図５は、第３実施形態に係る光合分波器３の構成図である。この図に示される第３実施形態に係る光合分波器３は、第２実施形態に係る光合分波器２と比較すると、各ミラーＭnが集光機能を有している点で相違する。各ミラーＭnは、凹面鏡であってもよいし、フレネルレンズであってもよい。
【００３５】
このように構成される第３実施形態に係る光合分波器３は、第２実施形態に係る光合分波器２の場合と略同様に動作し同様の効果を奏することができる。加えて、この光合分波器３は、ミラーＭ1〜Ｍ4が集光機能を有していることにより、挿入損失の波長依存性を更に小さくすることができる。
【００３６】
（光通信システムの実施形態）
次に、本発明に係る光通信システムの実施形態について説明する。図６は、本実施形態に係る光通信システム２０の構成図である。この図に示される光通信システム２０は、光送信器３０と光受信器４０との間に光ファイバ伝送路５０が敷設されたものである。光送信器３０内には光源部３１1〜３１4および光合波器３２が設けられている。光送信器４０内には受光部４１1〜４１4および光分波器４２が設けられている。光合波器３２および光分波器４２それぞれは、上述した光合分波器１〜３の何れかの構成を有するものである。
【００３７】
光送信器３０において、各光源部４１nから出力された波長λnの信号光は光合波器３２により合波されて、この合波された多波長λ1〜λ4の信号光は光ファイバ伝送路５０に送出される。そして、光ファイバ伝送路５０を経て光受信器４０に到達した多波長λ1〜λ4の信号光は光分波器４２により分波されて、各波長λnの信号光は受光部４１nにより受光される。この光通信システム２０では、このようにしてＷＤＭ通信が行われる。
【００３８】
この光通信システム２０では、上述した光合分波器１〜３の何れかの構成を有する光合波器３２および光分波器４２を用いて多波長の信号光を合分波するものであるので、所望の特性を歩留まりよく実現することができる。
【００３９】
本発明は、上記実施形態に限定されるものではなく、種々の変形が可能である。例えば、上記の各実施形態では、合分波する光の波長数Ｎを４として説明したが、波長数Ｎは任意でよい。
【００４０】
【発明の効果】
以上、詳細に説明したとおり、本発明に係る光合分波器は、Ｎ波長の光を合分波するものであって、レンズＬ0〜ＬNおよび誘電体多層膜フィルタＦ1〜ＦN-1を備え、さらに各誘電体多層膜フィルタＦnの位置および方位を調整する調整手段を備えている。したがって、本発明に係る光合分波器は、小型化が可能で、挿入損失の波長依存性が小さく、製造歩留まりが高い。
【図面の簡単な説明】
【図１】第１実施形態に係る光合分波器１の構成図である。
【図２】各誘電体多層膜フィルタＦnの位置および方位を調整する手段の斜視図である。
【図３】各誘電体多層膜フィルタＦnの位置および方位を調整する手段の断面図である。
【図４】第２実施形態に係る光合分波器２の構成図である。
【図５】第３実施形態に係る光合分波器３の構成図である。
【図６】本実施形態に係る光通信システムの構成図である。
【図７】従来の光合分波器の構成図である。
【図８】従来の光合分波器の構成図である。
【符号の説明】
１〜３…光合分波器、１０0〜１０4…光ファイバ、２０…光通信システム、３０…光送信器、３１1〜３１4…光源部、３２…光合波器、４０…光受信器、４１1〜４１4…受光部、４２…光分波器、５０…光ファイバ伝送路、Ｆ1〜Ｆ4…誘電体多層膜フィルタ、Ｌ0〜Ｌ4…レンズ、Ｐ0〜Ｐ4…ポート、Ｒ0〜Ｒ4…光路。
【図１】
0003736435.tif 000002
【図２】
0003736435.tif 000003
【図３】
0003736435.tif 000004
【図４】
0003736435.tif 000005
【図５】
0003736435.tif 000006
【図６】
0003736435.tif 000007
【図７】
0003736435.tif 000008
【図８】
0003736435.tif 000009